【手続補正書】
【提出日】令和3年6月1日(2021.6.1)
【手続補正１】
【補正対象書類名】特許請求の範囲
【補正対象項目名】全文
【補正方法】変更
【補正の内容】
【特許請求の範囲】
【請求項１】
車両の室内に設けられる複数のディスプレイの表示の制御を行う車両用制御装置であって、
複数の前記ディスプレイ間で連動して表示させる前記ディスプレイごとの画像である連動画像に対して、前記ディスプレイに出力可能な情報とする処理である出力前処理を行う表示処理部（１０１，１０１ａ）と、
共通の前記表示処理部で前記出力前処理が行われた、複数の前記ディスプレイのそれぞれについての前記連動画像を、それぞれ対応する前記ディスプレイに出力する画像出力部（１２０，１３０）とを備え、
前記表示処理部は、１フレーム内に複数の前記ディスプレイのそれぞれについての前記連動画像が合成された混在画像に対して、前記出力前処理を行うことで、複数の前記ディスプレイのそれぞれについての前記連動画像に対して、前記出力前処理を行うものであり、
前記画像出力部は、共通の前記表示処理部で前記出力前処理が行われた前記混在画像のうちの、複数の前記ディスプレイのそれぞれに対応する前記連動画像の領域を指定して、複数の前記ディスプレイのそれぞれについての前記連動画像を、それぞれ対応する前記ディスプレイに出力し、
前記混在画像は、複数の前記ディスプレイのそれぞれに対応する前記連動画像の画面解像度が異なる場合には、１フレーム内の混在画像の大きさが最小となる組み合わせになるように、複数の前記ディスプレイのそれぞれに対応する前記連動画像のうちの一部の連動画像を回転させて、１フレーム内に複数の前記ディスプレイのそれぞれについての前記連動画像が合成されている車両用制御装置。
【請求項２】
前記連動画像は、アニメーションを表示させるための時系列順の画像であり、
前記混在画像は、前記時系列順の画像が、前記アニメーションを表示させるための時系列に沿ったフレームごとに合成されているものであって、
前記表示処理部は、前記時系列順の画像が、前記アニメーションを表示させるための時系列に沿ったフレームごとに合成されている前記混在画像に対して、前記時系列に沿って１フレームずつ前記出力前処理を順次行い、
前記画像出力部は、共通の前記表示処理部で前記出力前処理が順次行われるごとに、その出力前処理が行われる前記混在画像のうちの、複数の前記ディスプレイのそれぞれに対応する前記連動画像の領域を指定して、複数の前記ディスプレイのそれぞれについての前記連動画像を、それぞれ対応する前記ディスプレイに順次出力する請求項１に記載の車両用制御装置。
【請求項３】
前記混在画像は、アニメーションを表示させる際の前記連動画像の単位時間あたりの画像数であるフレームレートが複数の前記ディスプレイのそれぞれで異なる場合に、前記フレームレートが最も高い前記ディスプレイの前記フレームレートに合わせた数のフレームごとに合成されており、
前記フレームレートがより低い前記ディスプレイについての前記連動画像は、前記フレームレートが最も高い前記ディスプレイに対する前記フレームレートの比率に応じた数のフレームごとに、前記フレームレートが最も高い前記ディスプレイについての前記連動画像と合成されて前記混在画像となっている一方、残りのフレームについては、前記フレームレートがより低い前記ディスプレイについての前記連動画像が空データとして合成されて前記混在画像となっており、
前記画像出力部は、前記フレームレートが最も高い前記ディスプレイである第１ディスプレイ（２０）に対しては、共通の前記表示処理部で前記出力前処理が順次行われるごとに、その出力前処理が行われる前記混在画像のうちの、前記第１ディスプレイに対応する前記連動画像の領域を指定して、前記第１ディスプレイについての前記連動画像を、前記第１ディスプレイに順次出力する一方、前記フレームレートがより低い前記ディスプレイである第２ディスプレイ（３０）に対しては、前記第１ディスプレイに対する前記第２ディスプレイの前記フレームレートの比率に応じた数のフレームごとに、前記出力前処理が行われる前記混在画像のうちの、前記第２ディスプレイに対応する前記連動画像の領域を指定して、前記第２ディスプレイについての前記連動画像を、前記第２ディスプレイに順次出力する請求項２に記載の車両用制御装置。
【請求項４】
車両の室内に設けられる複数のディスプレイの表示の制御を行う車両用制御装置であって、
複数の前記ディスプレイ間で連動して表示させる前記ディスプレイごとの画像である連動画像に対して、前記ディスプレイに出力可能な情報とする処理である出力前処理を行う表示処理部（１０１，１０１ａ）と、
共通の前記表示処理部で前記出力前処理が行われた、複数の前記ディスプレイのそれぞれについての前記連動画像を、それぞれ対応する前記ディスプレイに出力する画像出力部（１２０，１３０）とを備え、
前記表示処理部は、１フレーム内に複数の前記ディスプレイのそれぞれについての前記連動画像が合成された混在画像に対して、前記出力前処理を行うことで、複数の前記ディスプレイのそれぞれについての前記連動画像に対して、前記出力前処理を行うものであり、
前記画像出力部は、共通の前記表示処理部で前記出力前処理が行われた前記混在画像のうちの、複数の前記ディスプレイのそれぞれに対応する前記連動画像の領域を指定して、複数の前記ディスプレイのそれぞれについての前記連動画像を、それぞれ対応する前記ディスプレイに出力し、
前記連動画像は、アニメーションを表示させるための時系列順の画像であり、
前記混在画像は、前記時系列順の画像が、前記アニメーションを表示させるための時系列に沿ったフレームごとに合成されているものであって、
前記表示処理部は、前記時系列順の画像が、前記アニメーションを表示させるための時系列に沿ったフレームごとに合成されている前記混在画像に対して、前記時系列に沿って１フレームずつ前記出力前処理を順次行い、
前記画像出力部は、共通の前記表示処理部で前記出力前処理が順次行われるごとに、その出力前処理が行われる前記混在画像のうちの、複数の前記ディスプレイのそれぞれに対応する前記連動画像の領域を指定して、複数の前記ディスプレイのそれぞれについての前記連動画像を、それぞれ対応する前記ディスプレイに順次出力し、
前記混在画像は、アニメーションを表示させる際の前記連動画像の単位時間あたりの画像数であるフレームレートが複数の前記ディスプレイのそれぞれで異なる場合に、前記フレームレートが最も高い前記ディスプレイの前記フレームレートに合わせた数のフレームごとに合成されており、
前記フレームレートがより低い前記ディスプレイについての前記連動画像は、前記フレームレートが最も高い前記ディスプレイに対する前記フレームレートの比率に応じた数のフレームごとに、前記フレームレートが最も高い前記ディスプレイについての前記連動画像と合成されて前記混在画像となっている一方、残りのフレームについては、前記フレームレートがより低い前記ディスプレイについての前記連動画像が空データとして合成されて前記混在画像となっており、
前記画像出力部は、前記フレームレートが最も高い前記ディスプレイである第１ディスプレイ（２０）に対しては、共通の前記表示処理部で前記出力前処理が順次行われるごとに、その出力前処理が行われる前記混在画像のうちの、前記第１ディスプレイに対応する前記連動画像の領域を指定して、前記第１ディスプレイについての前記連動画像を、前記第１ディスプレイに順次出力する一方、前記フレームレートがより低い前記ディスプレイである第２ディスプレイ（３０）に対しては、前記第１ディスプレイに対する前記第２ディスプレイの前記フレームレートの比率に応じた数のフレームごとに、前記出力前処理が行われる前記混在画像のうちの、前記第２ディスプレイに対応する前記連動画像の領域を指定して、前記第２ディスプレイについての前記連動画像を、前記第２ディスプレイに順次出力する車両用制御装置。
【請求項５】
前記混在画像は、複数の前記ディスプレイのそれぞれに対応する前記連動画像の画面解像度が異なる場合には、１フレーム内の混在画像の大きさが最小となる組み合わせになるように、複数の前記ディスプレイのそれぞれに対応する前記連動画像のうちの一部の連動画像を回転させて、１フレーム内に複数の前記ディスプレイのそれぞれについての前記連動画像が合成されている請求項４に記載の車両用制御装置。
【請求項６】
前記混在画像は、複数の前記ディスプレイのそれぞれについての前記連動画像が、前記ディスプレイに表示されない非表示領域の情報を間に挟まずに１フレーム内に並べて合成されている請求項１〜５のいずれか１項に記載の車両用制御装置。
【請求項７】
前記混在画像は、１フレーム内に２つの前記ディスプレイのそれぞれについての前記連動画像が合成されたものであって、２つの前記ディスプレイのそれぞれに対応する前記連動画像の画面解像度が異なる場合には、より長辺の画素数の多い連動画像の短辺に、より長辺の画素数の少ない連動画像の長辺を沿わせるように、より長辺の画素数の少ない連動画像を回転させて、１フレーム内に２つの前記ディスプレイのそれぞれについての前記連動画像が合成されている請求項１〜３、及び５のいずれか１項に記載の車両用制御装置。
【請求項８】
複数の前記ディスプレイごとに独立した前記連動画像のうち、連動させる前記連動画像同士を、１フレーム内に合成して前記混在画像を合成する合成部（１０２）を備え、
前記表示処理部は、前記合成部で合成された前記混在画像に対して、前記出力前処理を行うことで、複数の前記ディスプレイのそれぞれについての前記連動画像に対して、前記出力前処理を行う請求項１〜７のいずれか１項に記載の車両用制御装置。
【請求項９】
前記画像出力部は、複数の前記ディスプレイに出力する順番の優先度が設定されているものであって、それぞれの前記ディスプレイについて等しい前記優先度が設定されている請求項１〜８のいずれか１項に記載の車両用制御装置。
【請求項１０】
車両の室内に設けられる複数のディスプレイ（２０，３０）と、
複数のディスプレイの表示の制御を行う、請求項１〜９のいずれか１項に記載の車両用制御装置（１０，１０ａ）とを含む車両用表示システム。
【請求項１１】
車両の室内に設けられる複数のディスプレイ（２０，３０）の表示の制御を行う車両用表示制御方法であって、
複数の前記ディスプレイ間で連動して表示させる前記ディスプレイごとの画像である連動画像に対して、前記ディスプレイに出力可能な情報とする処理である出力前処理を共通の表示処理部（１０１，１０１ａ）で行い、
共通の前記表示処理部で前記出力前処理が行われる、複数の前記ディスプレイのそれぞれについての前記連動画像を、前記ディスプレイに前記連動画像を出力する画像出力部（１２０，１３０）でそれぞれ対応する前記ディスプレイに出力し、
前記表示処理部では、１フレーム内に複数の前記ディスプレイのそれぞれについての前記連動画像が合成された混在画像に対して、前記出力前処理を行うことで、複数の前記ディスプレイのそれぞれについての前記連動画像に対して、前記出力前処理を行い、
前記画像出力部では、共通の前記表示処理部で前記出力前処理が行われた前記混在画像のうちの、複数の前記ディスプレイのそれぞれに対応する前記連動画像の領域を指定して、複数の前記ディスプレイのそれぞれについての前記連動画像を、それぞれ対応する前記ディスプレイに出力し、
前記混在画像は、複数の前記ディスプレイのそれぞれに対応する前記連動画像の画面解像度が異なる場合には、１フレーム内の混在画像の大きさが最小となる組み合わせになるように、複数の前記ディスプレイのそれぞれに対応する前記連動画像のうちの一部の連動画像を回転させて、１フレーム内に複数の前記ディスプレイのそれぞれについての前記連動画像が合成されている車両用表示制御方法。
【請求項１２】
車両の室内に設けられる複数のディスプレイ（２０，３０）の表示の制御を行う車両用表示制御方法であって、
複数の前記ディスプレイ間で連動して表示させる前記ディスプレイごとの画像である連動画像に対して、前記ディスプレイに出力可能な情報とする処理である出力前処理を共通の表示処理部（１０１，１０１ａ）で行い、
共通の前記表示処理部で前記出力前処理が行われる、複数の前記ディスプレイのそれぞれについての前記連動画像を、前記ディスプレイに前記連動画像を出力する画像出力部（１２０，１３０）でそれぞれ対応する前記ディスプレイに出力し、
前記表示処理部では、１フレーム内に複数の前記ディスプレイのそれぞれについての前記連動画像が合成された混在画像に対して、前記出力前処理を行うことで、複数の前記ディスプレイのそれぞれについての前記連動画像に対して、前記出力前処理を行い、
前記画像出力部では、共通の前記表示処理部で前記出力前処理が行われた前記混在画像のうちの、複数の前記ディスプレイのそれぞれに対応する前記連動画像の領域を指定して、複数の前記ディスプレイのそれぞれについての前記連動画像を、それぞれ対応する前記ディスプレイに出力し、
前記連動画像は、アニメーションを表示させるための時系列順の画像であり、
前記混在画像は、前記時系列順の画像が、前記アニメーションを表示させるための時系列に沿ったフレームごとに合成されているものであって、
前記表示処理部では、前記時系列順の画像が、前記アニメーションを表示させるための時系列に沿ったフレームごとに合成されている前記混在画像に対して、前記時系列に沿って１フレームずつ前記出力前処理を順次行い、
前記画像出力部では、共通の前記表示処理部で前記出力前処理が順次行われるごとに、その出力前処理が行われる前記混在画像のうちの、複数の前記ディスプレイのそれぞれに対応する前記連動画像の領域を指定して、複数の前記ディスプレイのそれぞれについての前記連動画像を、それぞれ対応する前記ディスプレイに順次出力し、
前記混在画像は、アニメーションを表示させる際の前記連動画像の単位時間あたりの画像数であるフレームレートが複数の前記ディスプレイのそれぞれで異なる場合に、前記フレームレートが最も高い前記ディスプレイの前記フレームレートに合わせた数のフレームごとに合成されており、
前記フレームレートがより低い前記ディスプレイについての前記連動画像は、前記フレームレートが最も高い前記ディスプレイに対する前記フレームレートの比率に応じた数のフレームごとに、前記フレームレートが最も高い前記ディスプレイについての前記連動画像と合成されて前記混在画像となっている一方、残りのフレームについては、前記フレームレートがより低い前記ディスプレイについての前記連動画像が空データとして合成されて前記混在画像となっており、
前記画像出力部では、前記フレームレートが最も高い前記ディスプレイである第１ディスプレイ（２０）に対しては、共通の前記表示処理部で前記出力前処理が順次行われるごとに、その出力前処理が行われる前記混在画像のうちの、前記第１ディスプレイに対応する前記連動画像の領域を指定して、前記第１ディスプレイについての前記連動画像を、前記第１ディスプレイに順次出力する一方、前記フレームレートがより低い前記ディスプレイである第２ディスプレイ（３０）に対しては、前記第１ディスプレイに対する前記第２ディスプレイの前記フレームレートの比率に応じた数のフレームごとに、前記出力前処理が行われる前記混在画像のうちの、前記第２ディスプレイに対応する前記連動画像の領域を指定して、前記第２ディスプレイについての前記連動画像を、前記第２ディスプレイに順次出力する車両用表示制御方法。
【手続補正２】
【補正対象書類名】明細書
【補正対象項目名】０００７
【補正方法】変更
【補正の内容】
【０００７】
上記目的を達成するために、本開示の第１の車両用制御装置は、車両の室内に設けられる複数のディスプレイの表示の制御を行う車両用制御装置であって、複数のディスプレイ間で連動して表示させるディスプレイごとの画像である連動画像に対して、ディスプレイに出力可能な情報とする処理である出力前処理を行う表示処理部（１０１，１０１ａ）と、共通の表示処理部で出力前処理が行われた、複数のディスプレイのそれぞれについての連動画像を、それぞれ対応するディスプレイに出力する画像出力部（１２０，１３０）とを備え、表示処理部は、１フレーム内に複数のディスプレイのそれぞれについての連動画像が合成された混在画像に対して、出力前処理を行うことで、複数のディスプレイのそれぞれについての連動画像に対して、出力前処理を行うものであり、画像出力部は、共通の表示処理部で出力前処理が行われた混在画像のうちの、複数のディスプレイのそれぞれに対応する連動画像の領域を指定して、複数のディスプレイのそれぞれについての連動画像を、それぞれ対応するディスプレイに出力し、混在画像は、複数のディスプレイのそれぞれに対応する連動画像の画面解像度が異なる場合には、１フレーム内の混在画像の大きさが最小となる組み合わせになるように、複数のディスプレイのそれぞれに対応する連動画像のうちの一部の連動画像を回転させて、１フレーム内に複数のディスプレイのそれぞれについての連動画像が合成されている。
上記目的を達成するために、本開示の第２の車両用制御装置は、車両の室内に設けられる複数のディスプレイの表示の制御を行う車両用制御装置であって、複数のディスプレイ間で連動して表示させるディスプレイごとの画像である連動画像に対して、ディスプレイに出力可能な情報とする処理である出力前処理を行う表示処理部（１０１，１０１ａ）と、共通の表示処理部で出力前処理が行われた、複数のディスプレイのそれぞれについての連動画像を、それぞれ対応するディスプレイに出力する画像出力部（１２０，１３０）とを備え、表示処理部は、１フレーム内に複数のディスプレイのそれぞれについての連動画像が合成された混在画像に対して、出力前処理を行うことで、複数のディスプレイのそれぞれについての連動画像に対して、出力前処理を行うものであり、画像出力部は、共通の表示処理部で出力前処理が行われた混在画像のうちの、複数のディスプレイのそれぞれに対応する連動画像の領域を指定して、複数のディスプレイのそれぞれについての連動画像を、それぞれ対応するディスプレイに出力し、連動画像は、アニメーションを表示させるための時系列順の画像であり、混在画像は、時系列順の画像が、アニメーションを表示させるための時系列に沿ったフレームごとに合成されているものであって、表示処理部は、時系列順の画像が、アニメーションを表示させるための時系列に沿ったフレームごとに合成されている混在画像に対して、時系列に沿って１フレームずつ出力前処理を順次行い、画像出力部は、共通の表示処理部で出力前処理が順次行われるごとに、その出力前処理が行われる混在画像のうちの、複数のディスプレイのそれぞれに対応する連動画像の領域を指定して、複数のディスプレイのそれぞれについての連動画像を、それぞれ対応するディスプレイに順次出力し、混在画像は、アニメーションを表示させる際の連動画像の単位時間あたりの画像数であるフレームレートが複数のディスプレイのそれぞれで異なる場合に、フレームレートが最も高いディスプレイのフレームレートに合わせた数のフレームごとに合成されており、フレームレートがより低いディスプレイについての連動画像は、フレームレートが最も高いディスプレイに対するフレームレートの比率に応じた数のフレームごとに、フレームレートが最も高いディスプレイについての連動画像と合成されて混在画像となっている一方、残りのフレームについては、フレームレートがより低いディスプレイについての連動画像が空データとして合成されて混在画像となっており、画像出力部は、フレームレートが最も高いディスプレイである第１ディスプレイ（２０）に対しては、共通の表示処理部で出力前処理が順次行われるごとに、その出力前処理が行われる混在画像のうちの、第１ディスプレイに対応する連動画像の領域を指定して、第１ディスプレイについての連動画像を、第１ディスプレイに順次出力する一方、フレームレートがより低いディスプレイである第２ディスプレイ（３０）に対しては、第１ディスプレイに対する第２ディスプレイのフレームレートの比率に応じた数のフレームごとに、出力前処理が行われる混在画像のうちの、第２ディスプレイに対応する連動画像の領域を指定して、第２ディスプレイについての連動画像を、第２ディスプレイに順次出力する。
【手続補正３】
【補正対象書類名】明細書
【補正対象項目名】０００８
【補正方法】変更
【補正の内容】
【０００８】
また、上記目的を達成するために、本開示の第１の車両用表示制御方法は、車両の室内に設けられる複数のディスプレイ（２０，３０）の表示の制御を行う車両用表示制御方法であって、複数のディスプレイ間で連動して表示させるディスプレイごとの画像である連動画像に対して、ディスプレイに出力可能な情報とする処理である出力前処理を共通の表示処理部（１０１，１０１ａ）で行い、共通の表示処理部で出力前処理が行われる、複数のディスプレイのそれぞれについての連動画像を、ディスプレイに連動画像を出力する画像出力部（１２０，１３０）でそれぞれ対応するディスプレイに出力し、表示処理部では、１フレーム内に複数のディスプレイのそれぞれについての連動画像が合成された混在画像に対して、出力前処理を行うことで、複数のディスプレイのそれぞれについての連動画像に対して、出力前処理を行い、画像出力部では、共通の表示処理部で出力前処理が行われた混在画像のうちの、複数のディスプレイのそれぞれに対応する連動画像の領域を指定して、複数のディスプレイのそれぞれについての連動画像を、それぞれ対応するディスプレイに出力し、混在画像は、複数のディスプレイのそれぞれに対応する連動画像の画面解像度が異なる場合には、１フレーム内の混在画像の大きさが最小となる組み合わせになるように、複数のディスプレイのそれぞれに対応する連動画像のうちの一部の連動画像を回転させて、１フレーム内に複数のディスプレイのそれぞれについての連動画像が合成されている。
また、上記目的を達成するために、本開示の第２の車両用表示制御方法は、車両の室内に設けられる複数のディスプレイ（２０，３０）の表示の制御を行う車両用表示制御方法であって、複数のディスプレイ間で連動して表示させるディスプレイごとの画像である連動画像に対して、ディスプレイに出力可能な情報とする処理である出力前処理を共通の表示処理部（１０１，１０１ａ）で行い、共通の表示処理部で出力前処理が行われる、複数のディスプレイのそれぞれについての連動画像を、ディスプレイに連動画像を出力する画像出力部（１２０，１３０）でそれぞれ対応するディスプレイに出力し、表示処理部では、１フレーム内に複数のディスプレイのそれぞれについての連動画像が合成された混在画像に対して、出力前処理を行うことで、複数のディスプレイのそれぞれについての連動画像に対して、出力前処理を行い、画像出力部では、共通の表示処理部で出力前処理が行われた混在画像のうちの、複数のディスプレイのそれぞれに対応する連動画像の領域を指定して、複数のディスプレイのそれぞれについての連動画像を、それぞれ対応するディスプレイに出力し、連動画像は、アニメーションを表示させるための時系列順の画像であり、混在画像は、時系列順の画像が、アニメーションを表示させるための時系列に沿ったフレームごとに合成されているものであって、表示処理部では、時系列順の画像が、アニメーションを表示させるための時系列に沿ったフレームごとに合成されている混在画像に対して、時系列に沿って１フレームずつ出力前処理を順次行い、画像出力部では、共通の表示処理部で出力前処理が順次行われるごとに、その出力前処理が行われる混在画像のうちの、複数のディスプレイのそれぞれに対応する連動画像の領域を指定して、複数のディスプレイのそれぞれについての連動画像を、それぞれ対応するディスプレイに順次出力し、混在画像は、アニメーションを表示させる際の連動画像の単位時間あたりの画像数であるフレームレートが複数のディスプレイのそれぞれで異なる場合に、フレームレートが最も高いディスプレイのフレームレートに合わせた数のフレームごとに合成されており、フレームレートがより低いディスプレイについての連動画像は、フレームレートが最も高いディスプレイに対するフレームレートの比率に応じた数のフレームごとに、フレームレートが最も高いディスプレイについての連動画像と合成されて混在画像となっている一方、残りのフレームについては、フレームレートがより低いディスプレイについての連動画像が空データとして合成されて混在画像となっており、画像出力部では、フレームレートが最も高いディスプレイである第１ディスプレイ（２０）に対しては、共通の表示処理部で出力前処理が順次行われるごとに、その出力前処理が行われる混在画像のうちの、第１ディスプレイに対応する連動画像の領域を指定して、第１ディスプレイについての連動画像を、第１ディスプレイに順次出力する一方、フレームレートがより低いディスプレイである第２ディスプレイ（３０）に対しては、第１ディスプレイに対する第２ディスプレイのフレームレートの比率に応じた数のフレームごとに、出力前処理が行われる混在画像のうちの、第２ディスプレイに対応する連動画像の領域を指定して、第２ディスプレイについての連動画像を、第２ディスプレイに順次出力する。